(57)【特許請求の範囲】
【請求項１】
同期検出用クロックの再生処理を実施する処理実施手段と、
送信機と受信機との間のシンボルレートの差と、受信信号の電界強度とを基に受信状態の良好度を検出し、前記電界強度が第１の閾値以上であることと、前記シンボルレートの差が所定回数以上連続して第２の閾値未満であることとを条件として該条件が満たされた期間を良好度の高い期間として検出する良好度検出手段と、
前記良好度が高い期間では、前記処理実施手段による同期検出用クロックの再生処理の実施頻度を減少させて、該条件が満たされていない良好度の低い期間よりも前記処理実施手段の作動時間を短縮する作動期間制御手段と、
を備えることを特徴とする受信機。
【請求項２】
前記作動期間制御手段は、前記条件が満たされた期間は、前記処理実施手段の動作タイミングを規定する動作周波数を低下させることを特徴とする請求項１記載の受信機。
【請求項３】
同期検出用クロックの再生処理を実施する処理実施ステップと、
送信機と受信機との間のシンボルレートの差と、受信信号の電界強度とを基に受信状態の良好度を検出し、前記電界強度が第１の閾値以上であることと、前記シンボルレートの差が所定回数以上連続して第２の閾値未満であることとを条件として該条件が満たされた期間を良好度の高い期間として検出する良好度検出ステップと、
前記良好度が高い期間では、前記処理実施ステップによる同期検出用クロックの再生処理の実施頻度を減少させて、該条件が満たされていない良好度の低い期間よりも前記処理実施ステップの作動時間を短縮する作動期間制御ステップと、
を備えることを特徴とする受信制御方法。
【請求項４】
請求項１又は２記載の受信機の各手段としてコンピュータを機能させるプログラム。
【発明の詳細な説明】
【技術分野】
【０００１】
本発明は、電力消費量を低減する受信機、制御方法及びプログラムに関する。
【背景技術】
【０００２】
特許文献１は、電力消費量を低減する同期信号検出装置について開示する（特許文献１の段落０００７）。該同期信号検出装置は、ＦＳＷ（Frame Synchronized Word：フレーム同期ワード）の受信タイミングを受信信号と参照用ＦＳＷとの相関値から検出する相関検出部と、受信信号のビット列と参照用ＦＳＷのビット列とを比較して、そのエラービット数に基づき検出するエラービット数検出部とを装備し（特許文献１の図２の符号１１，１２は相関検出部、符号１３，１４はエラービット数検出部。）、通常は、電力消費量の低い相関検出部によりＦＳＷの受信タイミングを検出し、相関検出部による検出が困難な場合に限り、エラービット数検出部による検出を実施している（特許文献１の段落００５９）。
【特許文献１】特開２００４−４０２２２号公報
【発明の開示】
【発明が解決しようとする課題】
【０００３】
特許文献１における同期信号検出装置は、エラービット数検出部に代えて相関検出部を使用することにより消費電力量低減を図るが、これは相関検出部自体やエラービット数検出部自体を受信信号の受信状態に応じて節電型とするものではない。
【０００４】
一方、受信機において、その機能達成のために様々な処理を実行しているが、所定の処理について、バッテリ電力の残量が十分にある期間では実施し、バッテリ残量が少ない期間では、不実施することにより、不実施による性能低下を許容しつつ、節電を図ることはよく行われることであるが、所定の処理について、その適正な処理結果を得つつ、受信信号の受信状態に応じて消費電力を低減するものとはなっていない。
【０００５】
本発明の目的は、適正な処理結果を確保しつつ、節電を図ることができる受信機、制御方法及びプログラムを提供することである。
【課題を解決するための手段】
【０００６】
本発明によれば、例えば受信信号の受信状態が良好な場合には、処理結果についての所定の精度を得るのに要する処理時間を短くして済ませることができる所定の処理に着目する。そして、受信信号の受信状態が良好な期間では、該処理を手短に済ませる。
【０００７】
本発明の受信機は、同期検出用クロックの再生処理を実施する処理実施手段と、送信機と受信機との間のシンボルレートの差と、受信信号の電界強度とを基に受信状態の良好度を検出し、前記電界強度が第１の閾値以上であることと、前記シンボルレートの差が所定回数以上連続して第２の閾値未満であることとを条件として該条件が満たされた期間を良好度の高い期間として検出する良好度検出手段と、前記良好度が高い期間では、前記処理実施手段による同期検出用クロックの再生処理の実施頻度を減少させて、該条件が満たされていない良好度の低い期間よりも前記処理実施手段の作動時間を短縮する作動期間制御手段と、を備える。
【０００８】
本発明の受信機制御方法は、同期検出用クロックの再生処理を実施する処理実施ステップと、送信機と受信機との間のシンボルレートの差と、受信信号の電界強度とを基に受信状態の良好度を検出し、前記電界強度が第１の閾値以上であることと、前記シンボルレートの差が所定回数以上連続して第２の閾値未満であることとを条件として該条件が満たされた期間を良好度の高い期間として検出する良好度検出ステップと、前記良好度が高い期間では、前記処理実施ステップによる同期検出用クロックの再生処理の実施頻度を減少させて、該条件が満たされていない良好度の低い期間よりも前記処理実施ステップの作動時間を短縮する作動期間制御ステップと、を備える。
【０００９】
本発明のプログラムは、本発明の前述の受信機の各手段としてコンピュータを機能させる。
【発明の効果】
【００１０】
本発明によれば、受信信号の受信状態が良好な期間では、所定の処理については、その処理時間を手短に済ませるので、短縮分について消費電力量を抑えることができる。
【発明を実施するための最良の形態】
【００１１】
図１は無線機１０の受信系のブロック図である。無線機１０は、受信機だけでなく送信機の機能も装備するデジタル無線機であるが、図１では、送信系の図示を省略している。該無線機１０は、また、ＡＰＣＯ  Ｐ２５（APCO Project 25）に準拠したものとなっている。図１において、破線で示した信号経路と受信状態判定処理器３０及びＤＳＰ動作クロック制御器３１とが従来の受信系に追加されている。
【００１２】
４値ＦＳＫやπ／４シフトＱＰＳＫなどのデジタル変調信号の電波はアンテナ１１に捕捉され、ＲＦ信号になって、検波器１２へ供給される。検波器１２は、選択チャネルに対応する周波数のＲＦ信号を抽出して、その検波信号をベースバンドフィルタ１３へ供給する。検波器１２は、また、選択チャネルに対応する周波数のＲＦ信号に係る信号をＲＳＳＩ（Receiving Signal Strength Indicator：電界強度）検出器１４へ供給し、ＲＳＳＩ検出器１４は、供給された信号に基づき該ＲＦ信号のＲＳＳＩを検出する。
【００１３】
ベースバンドフィルタ１３は、選択チャネルに隣接するチャネルに係る検波信号を十分に除去した検波信号をシンボル判定器１８、クロック再生器１９及びＦＳ（フレーム同期）検出処理器２０へ送る。クロック再生器１９は、ベースバンドフィルタ１３からの検波信号に基づきシンボル値検出用のクロック信号を再生して、シンボル判定器１８へ供給する。シンボル判定器１８は、クロック再生器１９からのクロック信号に基づくタイミングでベースバンドフィルタ１３からの検波信号からシンボル値を抽出する。
【００１４】
ＦＳ検出処理器２０は、ＦＳ検出を行ない、シンボル判定器１８からＣＡＩ（Common Air Interface）デコード処理器２４へのビット列においてどこが同期検出タイミングであるかが分かるようにする。ＣＡＩデコード処理器２４は、シンボル判定器１８からのビット列に対してＣＡＩデコート処理を行なって、音声データを生成し、ボコーダデコード処理器２５へ送る。このＣＡＩデコード処理ではＦＥＣ（Forward Error Correction：前方誤り訂正）に基づきエラー検出及びエラー訂正を行っている。
【００１５】
ボコーダデコード処理器２５は、ＣＡＩデコード処理器２４からの音声データを復号してから、それをアナログ音声信号へ変換して、スピーカ２６へ供給する。こうして、スピーカ２６から通話相手の音声が出力される。
【００１６】
受信状態判定処理器３０は、ＲＳＳＩ検出器１４、クロック再生器１９及びＦＳ検出処理器２０が所定の情報を供給され、これら情報に基づきクロック再生器１９、ＦＳ検出処理器２０及びＤＳＰ動作クロック制御器３１へ制御信号を送る。ＲＳＳＩ検出器１４、クロック再生器１９及びＦＳ検出処理器２０から受信状態判定処理器３０へ送られる情報、並びに受信状態判定処理器３０からの制御信号に基づくクロック再生器１９、ＦＳ検出処理器２０及びＤＳＰ動作クロック制御器３１の作動については、次の図２及び図３において説明する。
【００１７】
図２は無線機１０に採用されている節電手法の概略説明図である。該節電手法は、受信状態判定処理Ｓ１及び受信状態設定処理Ｓ２の２つに分けられる。受信状態判定処理Ｓ１は、さらに、受信状態を確認する受信ステータスの検出ステップと、該受信ステータスに基づく受信状態の判定ステップとから成る。受信状態設定処理Ｓ２は受信状態判定処理Ｓ１の判定結果に基づいて行なわれる。
【００１８】
受信状態判定処理Ｓ１における受信ステータスとしては、例えば、ＲＳＳＩ、ＦＳ検出処理、クロック再生処理、シンボル判定処理、ＦＥＣのエラービット数などを挙げることができる。
【００１９】
無線機１０において、受信状態が良好ということは、例えば下記の状態に対応する。ただし、受信状態が良好であることに対応する状態は、使用される変調方式やプロトコルによって変わる。
【００２０】
（ａ）受信信号の電界強度が良好であること。
（ｂ）送信機の基準発振周波数と受信機の基準発振周波数との差が少ないこと。なお、基準発振周波数とは送信機や受信機の端末が個別に有するベースクロック（ＶＣＸＯ：Voltage Controlled Xtal Oscillator）のことであり、端末ごとのシンボルクロックのずれ（位相差）の原因になる。以下、「送信機の基準発振周波数と受信機の基準発振周波数との差」を適宜、「送信機と受信機とのシンボルレートの差」ということにする。
（ｃ）ビットエラー率が低いこと。
【００２１】
ＲＳＳＩによりＲａｄｉｏ周波数の信号レベルを評価することができる。一般的にＲＳＳＩが良好であれば、ビットエラー率も低くなる可能性があり、かつ送信機と受信機とのシンボルレートの差を正確に検出し易くなる。したがって、本手法の例としてまずＲＳＳＩの評価を行ってから、（ｂ）及び（ｃ）の状態であるか否かを判定することにする。（ｂ）及び（ｃ）の状態は受信ステータスとして挙げたＦＳ検出処理などを介して検出することができる。
【００２２】
ＦＳ検出処理では、リファレンスとなるフレーム同期ビット列と受信した信号のビット列とを比較して検出判定を行う手法が一般的であるから、フレーム同期ビット列のビットエラーから、（ｃ）に係るビットエラー率を評価することができる。
【００２３】
ＣＡＩデコード処理では一般的にＦＥＣによりエラー検出及び訂正を行うため、ＦＥＣデコード処理時のエラー検出からも、（ｃ）に係るビットエラー率を評価することができる。
【００２４】
受信状態設定処理Ｓ２では、受信状態判定処理Ｓ１で得られた受信状態判定結果を使って、フレーム同期検出処理及びクロック再生処理の判定パラメータを変更する。
【００２５】
フレーム同期検出では、ビットエラー率に応じてフレーム同期を検出する場合に、判定に使用されるシンボル数を減らすことができる。ビットエラー率が低ければ、フレーム同期のビットエラー率も低くなり、またフレーム同期検出で誤検出する可能性も低くなると考えられるので、フレーム同期検出処理時に使用されるシンボル数を適度に減らしても、同期検出性能には影響がほとんどないと考えられる。フレーム同期検出処理は、リファレンスデータとの相関を求める、あるいはリファレンスビットデータとのビットエラー率を求めて判定を行うのが一般的である。したがって、フレーム同期検出処理のシンボル数を減らすことができれば、相関処理、シンボル判定処理及びビットエラー判定処理において、減らしたシンボル数分の割合で処理負荷を低減することができる。
【００２６】
クロック再生においては、送信機と受信機とのシンボルレートの差に応じてクロック再生処理の頻度を調整する。例えば差が小さい場合には、クロック再生の頻度を適度に減らしても十分追従できると考えられるため、無線機１０において、クロック再生の頻度を適当に減少させても、実動作に対して、影響は無い。クロック再生処理の頻度を例えば１／２にすることができれば、クロック再生における処理負荷も約１／２に低減することができる。
【００２７】
図３は無線機節電制御方法３５のフローチャートである。無線機節電制御方法３５は、図２で説明した節電手法に則っており、受信状態判定処理器３０において実施される。無線機節電制御方法３５は、各フレームを受信するごとに実施される。Ｓ３６では、ＲＳＳＩ検出器１４の検出信号に基づき受信信号の電界強度を取得する。Ｓ３７では、取得した電界強度に基づき受信信号の受信状態は良好であるか否かを判定する。判定が正であれば、Ｓ３８へ進み、否であれば、Ｓ４３へ進む。
【００２８】
Ｓ３８では、クロック再生器１９からの入力信号に基づき送信機と無線機１０との間のシンボルレートの差を検出する。送信機と無線機１０との間のシンボルレートの差とは、前述したように、送信機における基準発振信号と無線機１０における基準発振信号との発振周波数の差に起因して生じるものである。無線機１０における基準発振信号は、クロック再生器１９のクロック再生に関与し、送信機と受信機としての無線機１０とのシンボルレートの差はクロック再生器１９におけるクロック信号の修正量から検出することができる。修正量が大きいほど又は修正回数が多いほど、送信機と受信機としての無線機１０とのシンボルレートの差は大きいことを意味する。
【００２９】
Ｓ４２では、Ｓ３８で取得したシンボルレート差について前回と同じ傾向であるか否かを判定し、判定が正であれば、Ｓ４６へ進み、否であれば、Ｓ４３へ進む。Ｓ３８で取得したシンボルレート差について前回と同じ傾向であるとは、例えば、今回のフレームについてＳ３８で取得したシンボルレート差と前回のフレームについてＳ３８で取得したシンボルレート差とが共に所定の閾値α未満になっていることとする。Ｓ３８の判定が正であることは、受信信号の受信状態が前回及び今回のフレーム共に良好であることを意味する。
【００３０】
Ｓ４３では、受信状態判定処理器３０においてクロック再生器１９、ＦＳ検出処理器２０及びＤＳＰ動作クロック制御器３１について設定する判定パラメータをリセットして、初期値へ戻す。受信状態判定処理器３０は、クロック再生器１９の判定パラメータが初期値に設定されている場合には、クロック再生器１９を常時作動状態に維持する。これにより、クロック再生器１９は、常時、再生クロックのタイミング修正処理を実行する。
【００３１】
受信状態判定処理器３０は、ＦＳ検出処理器２０の判定パラメータが初期値に設定されている場合には、受信信号から抽出したフレーム同期ワードについて最初のビットから最後のビットまでのビットエラー判定が終了するまで、ＦＳ検出処理器２０を作動状態に維持する。これにより、ＦＳ検出処理器２０は、フレーム同期ワードの全ビットの入力期間、エラービット数を計数して、エラービット数が所定の閾値Ｅ未満であるならば、フレーム同期ワードを検出したとする。受信状態判定処理器３０は、ＤＳＰ動作クロック制御器３１の判定パラメータが初期値に設定されている場合には、動作クロック周波数を最大値にする指示をＤＳＰ動作クロック制御器３１に出す。ＤＳＰ動作クロック制御器３１が生成するクロックパルスは、ＤＳＰ（Digital Signal Processor）の動作タイミングに利用され、動作クロック周波数が大きいほど、ＤＳＰの処理能力が増大するとともに、ＤＳＰの消費電力も増大する。
【００３２】
Ｓ４６では、Ｓ３８で取得したシンボルレート差について今回のシンボルレート差を含む直近の連続Ｎ（Ｎ≧３）回が同じ傾向であるか否かを判定し、判定が正であれば、Ｓ４７へ進み、否であれば、Ｓ４８へ進む。同じ傾向とは、Ｓ４２における同じ傾向と同様に、各回のシンボルレート差が所定の閾値α未満であることであり、Ｓ４７の判定が正であるとは、直近Ｎ個のシンボルレート差がすべて所定の閾値α未満にあることを意味する。
【００３３】
Ｓ４７では、受信状態判定処理器３０においてクロック再生器１９について設定する判定パラメータを、シンボルレートの差に対応する作動頻度に設定する。シンボルレートの差が小さいほど、クロック再生器１９の作動頻度を減少させて、クロック再生器１９の停止期間を増大させ、これにより節電を図る。作動頻度について具体的数値を例示すると、次のとおりである。例として、ＡＰＣＯ  Ｐ２５方式(４８００ｓｐｓ(Symbol Per Second))では以下のように設定する。なお、下記の値は、１回のクロック再生処理で調整するシンボルクロックを０．０５Symbolとして求めている。
【００３４】
・シンボルレートの差が±８ｓｐｓ〜±４ｓｐｓの場合、３０シンボルに１回
・シンボルレートの差が±４ｓｐｓ〜±２ｓｐｓの場合、６０シンボルに１回
・シンボルレートの差が±２ｓｐｓ〜±１ｓｐｓの場合、１２０シンボルに１回
・シンボルレートの差が±１ｓｐｓ以内の場合、２４０シンボルに１回
【００３５】
Ｓ４８では、ＦＳ検出処理器２０のフレーム同期検出処理におけるビットエラー率を取得する。フレーム同期検出処理は、受信信号のビット値と所与の、すなわちリファレンス用のフレーム同期ワードのビットとが対比する処理を含み、この対比に基づきビットエラー率を求めることができる。Ｓ４９では、ＣＡＩデコード処理器２４のＦＥＣのエラー検出におけるビットエラー率を取得する。
【００３６】
Ｓ５０では、Ｓ４８，Ｓ４９で取得したビットエラー率について前回と同じ傾向であるか否かを判定し、判定が正であれば、Ｓ５０へ進み、否であれば、Ｓ４３へ進む。Ｓ４８，４９で取得したビットエラー率について前回と同じ傾向であるとは、例えば、今回のフレームについてＳ４８，Ｓ４９で取得したビットエラー率β１，γ１と前回のフレームについてＳ４８，４９で取得したビットエラー率β２，γ２とが共に所定の閾値βｏ，γｏ未満になっていることとする（β１＜βｏ，β２＜βｏ，γ１＜γｏ，γ２＜γｏ）。Ｓ４８，Ｓ４９の判定が正であることは、受信信号の受信状態が前回及び今回共に良好であることを意味する。
【００３７】
Ｓ５４では、Ｓ４８，Ｓ４９で取得したビットエラー率について今回を含む直近の連続Ｎ個のフレームが同じ傾向であるか否かを判定し、判定が正であれば、Ｓ５５へ進み、否であれば、無線機節電制御方法３５を終了する。同じ傾向とは、Ｓ５０における同じ傾向と同様に、所定の閾値βｏ，γｏ未満であることを意味し、Ｓ４７では、β及びγの系列共に、直近Ｎ個のフレームについてのビットエラー率がすべて所定の閾値βｏ未満及びγｏ未満にあることを意味する。なお、本実施例では、Ｓ４６，Ｓ５４は共に直近のＮ回の傾向を判定しているが、Ｓ４６，Ｓ５４の連続回数を相互に異ならせることも可能である。
【００３８】
Ｓ５５では、受信状態判定処理器３０においてＦＳ検出処理器２０について設定する判定パラメータを、ビットエラー率に対応するシンボル数に設定する。ビットエラー率が低いほど、ＦＳ検出処理器２０においてビットエラー判定の対象となるシンボルの個数（＝ビット数）を減少させる。すなわち、Ｓ４３で判定パラメータを初期値に設定した場合には、ＦＳ検出処理器２０においてビットエラー判定の対象となるビット数は、フレーム同期ワードの最初のビットから最後のビットまでの全部であるのに対し、Ｓ５５の処理により変更されたパラメータでは、ＦＳ検出処理器２０においてビットエラー判定の対象となるビット数は、フレーム同期ワードの最初のビットから中間の所定ビットまでのビット数となって、減少する。
【００３９】
例えば、ビットエラー率が０％でなければ、受信状態が悪い期間であるとして、フレーム同期ワードの全ビットをエラー判定対象とする。これに対して、ビットエラー率がＮ回連続、０％であれば、受信状態が良い期間であるとして、次のフレームでは、エラー判定の対象とするビットの数は、フレーム同期ワードの最初のビットから真ん中のビットまでの半分に減らす。なお、フレーム長は既知であるので、エラー判定の対象とするビットを減少させても、支障なく同期を検出することができる。これに対して、Ｎ回のビットエラー率の内、１つでも０％でなかったり、今回が初回の同期検出であったりした場合には、フレーム同期ワードの全ビットをエラー判定対象とする。フレーム同期検出処理におけるビットエラー判定の対象となるビット数の低減により、ＦＳ検出処理器２０の消費電力は低下する。
【００４０】
Ｓ５５の後、無線機節電制御方法３５を終了する。無線機節電制御方法３５を終了する前に、すなわち、Ｓ５４の判定が否であった後で、又はＳ５５の実施後で、無線機節電制御方法３５の終了前に、受信状態判定処理器３０においてＤＳＰ動作クロック制御器３１の動作クロックについて判定パラメータを、ＤＳＰの処理負荷の低減に応じて変更するステップを追加することができる。Ｓ４７，Ｓ５５の実行に伴い、ＤＳＰの負荷は低減する。したがって、ＤＳＰの動作クロックの周波数を低下させても、ＤＳＰの処理に支障が生じることは少ない。したがって、Ｓ４７及び／又はＳ５５が実行された場合には、それに伴うＤＳＰの負荷の低減に応じて、ＤＳＰの動作クロックの周波数を低減させるようにする。これにより、ＤＳＰを、その作動に支障なく、その消費電力を減少させることができる。
【００４１】
図４は受信機６０のブロック図である。前述の無線機１０は受信機６０の一例である。受信機６０は、典型的には携帯型であるが、据え置き型であってもよいとする。受信機６０は、電源として典型的には充電池を装備するが、充電池の代わりに乾電池を装備していてもよく、また、商用電源で駆動されるものであってもよい。受信機６０は、さらに、携帯電話機であってもよい。受信機６０は、処理実施手段６１、良好度検出手段６２及び作動期間制御手段６３を備える。
【００４２】
処理実施手段６１は、所定の処理を実施する。良好度検出手段６２は、受信信号の受信状態の良好度を検出する。作動期間制御手段６３は、良好度の高い期間では、低い期間よりも処理実施手段６１の作動期間を短縮する。
【００４３】
作動期間制御手段６３は、良好度に応じて処理実施手段６１の作動期間を連続的に変更するものであってもよいし、３段階以上の多段階で切替えるものであってもよいし、２段階で切替えるものであってもよい。受信信号の受信状態の良好度に応じて、処理実施手段６１の作動期間を必要最小限に調整することにより、受信機６０の省電力化を図ることができる。
【００４４】
こうして、受信機６０では、受信信号の受信状態が良好な期間に所定の処理についての処理期間を短縮して、受信機６０の消費電力量を低減することができる。
【００４５】
典型的には、所定の処理とは、処理時間を同一とした場合には、その処理結果の精度が、良好度の高い期間は低い期間よりも高くなる処理である。
【００４６】
所定の処理の具体例としては、無線機１０のクロック再生器１９における同期検出用クロックの再生処理を挙げることができる。この場合、良好度検出手段６２は、例えば、受信信号の受信状態の良好度を送信機の基準発振周波数と受信機６０の基準発振周波数との差に基づき検出する（例：図３の無線機節電制御方法３５のＳ３８）。また、作動期間制御手段６３は、処理実施手段６１の作動頻度を減少させることにより処理実施手段６１の作動期間を短縮する（例：図３の無線機節電制御方法３５のＳ４７）。
【００４７】
所定の処理の別の具体例としては、無線機１０のＦＳ検出処理器２０におけるフレーム同期検出処理を挙げることができる。この場合、良好度検出手段６２は、例えば、受信信号の受信状態の良好度をフレーム同期検出処理におけるフレーム同期ワードに係るビットエラー率及び／又はＣＡＩデコード処理の前方誤り訂正におけるビットエラー率に基づき検出する（例：図３の無線機節電制御方法３５のＳ４８，Ｓ４９）。また、作動期間制御手段６３は、処理実施手段６１の１回当たりの作動期間を短縮させることにより処理実施手段６１の作動期間を短縮する（例：図３の無線機節電制御方法３５のＳ５５）。
【００４８】
作動期間制御手段６３は、良好度が高い期間は、低い期間よりも、処理実施手段６１の動作タイミングを規定する動作周波数を低下させることができる。良好度が高い期間では、処理実施手段６１の処理能力を低下させても、その処理結果について所望の精度を確保できるので、動作周波数の低下により処理実施手段６１の処理能力を落として、節電を図ることができる。
【００４９】
好ましくは、良好度検出手段６２は、受信信号の電界強度が所定の閾値未満である場合は、作動期間制御手段６３が良好度の低い期間と判断する検出値を出力する。この具体例は、無線機節電制御方法３５（図３）のＳ３７である。ＲＳＳＩが閾値未満であれば、ビットエラー率の低下は望めないし、また、受信信号の受信状態の良好度を送信機の基準発振周波数と受信機６０の基準発振周波数との差の検出も難しくなる。したがって、良好度検出手段６２は、十分に低い良好度に対応する検出値を出力することにより作動期間制御手段６３におけるビットエラー率や基準発振周波数差の算出などの無駄な処理を省略することができる。
【００５０】
図５は受信機制御方法７０のフローチャートである。受信機制御方法７０は受信機６０に適用される。Ｓ７１では、受信信号の受信状態の良好度を検出する。
【００５１】
Ｓ７２〜Ｓ７４では、良好度の高い期間では、低い期間よりも所定の処理の作動期間を短縮する処理を行う。すなわち、Ｓ７２では、良好度を評価し、良好度≧閾値Ｒ以上であれば、Ｓ７３へ進み、良好度＜閾値Ｒであれば、Ｓ７４へ進む。Ｓ７３では、所定の処理の作動期間を小とし、Ｓ７４では、該処理の作動期間を大とする。
【００５２】
Ｓ７３，Ｓ７４における所定の処理とは、処理実施手段６１（図４）が実施する処理を意味する。Ｓ７１の処理は良好度検出手段６２の機能に対応し、良好度検出手段６２の機能について述べた具体的態様は、Ｓ７１の処理の具体的態様として適用可能である。また、Ｓ７２〜Ｓ７４の処理は作動期間制御手段６３の機能に対応し、作動期間制御手段６３の機能について述べた具体的態様は、Ｓ７２〜Ｓ７４の処理の具体的態様として適用可能である。
【００５３】
本発明を適用したプログラムは、コンピュータを受信機６０の各手段として機能させる。本発明を適用した別のプログラムは、受信機制御方法７０の各ステップをコンピュータに実行させる。
【００５４】
本明細書は様々な発明を開示している。それら発明は、発明の最良の形態の項で説明した各装置及び各方法だけでなく、当業者の自明の範囲内で、各装置及び各方法から独立の作用、効果を奏する１つ又は複数の要素を抽出したものや、１つ又は複数の要素を自明の範囲で変更したものや、さらに、各装置間及び各方法間で１つ又は複数の要素の組合せを入れ換えたものを含む。
【図面の簡単な説明】
【００５５】
【図１】無線機の受信系のブロック図である。
【図２】無線機に採用されている節電手法の概略説明図である。
【図３】無線機節電制御方法のフローチャートである。
【図４】受信機のブロック図である。
【図５】受信機制御方法のフローチャートである。
【符号の説明】
【００５６】
６０：受信機、６１：処理実施手段、６２：良好度検出手段、６３：作動期間制御手段、７０：受信機制御方法。
【図１】
0005125482.tif 000002
【図２】
0005125482.tif 000003
【図３】
0005125482.tif 000004
【図４】
0005125482.tif 000005
【図５】
0005125482.tif 000006